(57)【特許請求の範囲】
【請求項１】
宇宙飛翔物体の観測情報を蓄積し、同時に前記宇宙飛翔物体を見分ける識別処理を自動的に実施する飛翔物体観測データの管理装置であって、
前記宇宙飛翔物体を複数の外部センサが観測した観測情報を受信し、それぞれ１次情報を生成する複数のレシーバと、
前記１次情報のフォーマットを統一して蓄積する１次データベースと、
前記宇宙飛翔物体に関する外部機関からの外部情報を受信し蓄積する外部情報レシーバと、
データ処理された最新の観測情報である２次情報を格納し、ユーザインターフェースから検索要求を受信した場合に、前記２次情報を変換して前記ユーザインターフェースに送信する２次データベースと、
前記ユーザインターフェースから要求情報を受信した場合に、前記要求情報に該当する１次情報及び前記外部機関の外部情報に基づき、前記２次情報の識別処理を行ない更新又は新たに生成するデータ処理部と、
を備え、
前記データ処理部は、
前記ユーザインターフェースから前記要求情報を受信した場合に、前記要求情報に該当する１次情報を前記１次データベースから取得し、当該１次情報から軌道情報を算出し、この軌道情報と前記２次情報及び前記外部機関からの外部情報とを識別処理する識別処理手段と、
前記識別処理手段の結果が新規でない場合は、前記１次情報の１次情報管理ＩＤと、前記外部機関の軌道情報との識別処理の結果取得した衛星カタログ番号、国際衛星識別符号、及び衛星名称と、前記１次情報に含まれる観測付随情報とを前記２次情報に付与し、
前記識別処理手段の結果が新規である場合は前記２次情報を新たに生成して前記２次データベースに送る更新生成手段と、
を有する
ことを特徴とする飛翔物体観測データ管理装置。
【請求項２】
宇宙飛翔物体の観測情報を蓄積し、同時に前記宇宙飛翔物体を見分ける識別処理を自動的に実施する飛翔物体観測データの管理方法であって、
前記宇宙飛翔物体を複数の外部センサが観測した観測情報を複数のレシーバがそれぞれ受信し１次情報を生成する１次情報生成ステップと、
前記１次情報のフォーマットを統一して１次データベースに蓄積する１次情報蓄積ステップと、
前記宇宙飛翔物体に関する外部機関からの外部情報を外部情報レシーバが受信し蓄積する外部情報蓄積ステップと、
前記２次データベースが、データ処理された最新の観測情報である２次情報を格納し、ユーザインターフェースから検索要求を受信した場合に、前記２次情報を変換して前記ユーザインターフェースに送信する検索要求応答ステップと、
前記ユーザインターフェースから要求情報を受信した場合に、データ処理部が前記要求情報に該当する１次情報及び前記外部機関の外部情報に基づき、前記２次情報の識別処理を行ない更新又は新たに生成するデータ処理ステップと、
を備え、
前記データ処理ステップは、
前記ユーザインターフェースから前記要求情報を受信した場合に、前記要求情報に該当する１次情報を前記１次データベースから取得し、当該１次情報から軌道情報を算出し、この軌道情報と前記２次情報及び前記外部機関からの外部情報とを識別処理する識別処理ステップと、
前記識別処理手段の結果が新規でない場合は、前記１次情報の１次情報管理ＩＤと、前記外部機関の軌道情報との識別処理の結果取得した衛星カタログ番号、国際衛星識別符号、及び衛星名称と、前記１次情報に含まれる観測付随情報とを前記２次情報に付与し、
前記識別処理手段の結果が新規である場合は前記２次情報を新たに生成して前記２次データベースに送る更新生成ステップと、
を有する
ことを特徴とする飛翔物体観測データ管理方法。
【発明の詳細な説明】
【技術分野】
【０００１】
この発明は、宇宙飛翔物体監視システムに係わり、宇宙飛翔物体を観測したデータを管理する装置及び方法に関する。より詳しくは、レーダや光学望遠鏡をはじめとする各種外部センサが観測した宇宙飛翔物体の観測情報及び外部機関から取得した観測情報に基づき、識別処理などを実施した宇宙飛翔物体のカタログ情報を管理、提供できる飛翔物体観測データ管理装置及び管理方法に関する。
【背景技術】
【０００２】
近年、人工の地球周回軌道上浮遊物体であるスペースデブリや、隕石などの地球周辺の小天体に関して関心が高まっている。特に、スペースデブリは年々数が増え続けており、人工衛星が衝突する確率が増加している。このような衝突を避けるために、スペースデブリや隕石、既に宇宙に存在している人工衛星の軌道を正確に把握することが求められる。また、人工衛星やスペースデブリを判別するため、宇宙飛翔物体に関する高精度な軌道情報や識別情報を蓄積したデータベースが必要である。
【０００３】
宇宙飛翔物体の観測は光学望遠鏡およびレーダにより実施され、その観測結果をもとに衛星カタログと称されるデータが作成され、その一部は公開されている。光学望遠鏡からの観測データは、方位角及び仰角の２次元のデータによる光学画像を主とし、非常に高い角度分解能の観測データである特徴がある。レーダからの観測データは３次元の位置情報が得られることを特徴とし、電波画像データを含んでいる。
【０００４】
宇宙飛翔物体の自動監視方法及び装置として、例えば特許文献１には、子午線などの仮想線上を通過する宇宙飛翔物体を光学装置により観測して記録する方法が示されている。また特許文献２には、宇宙飛翔物体を識別する方式として、観測した大量の観測画像から自動的に恒星やその他の天体、及び宇宙飛翔物体とを画像処理により識別する方式が示されている。
【先行技術文献】
【特許文献】
【０００５】
【特許文献１】特開２００２−２２００９９号公報（第１−５頁、第１図）
【特許文献２】特開２００２−３１０６１６号公報（第１−６頁、第１図）
【発明の概要】
【発明が解決しようとする課題】
【０００６】
現状の衛星カタログでは、情報量が不足しており、正確な観測情報を得ることが困難であった。また、光学望遠鏡やレーダにより新たに観測した宇宙飛翔物体の軌道推定及びこれに基づく識別処理や、複数回の周回で観測された宇宙飛翔物体が同一かどうか識別し更新する時間が長くなり、その間観測情報を受信できなかった。更に、性能の異なる複数の光学望遠鏡及びレーダ間で、観測された宇宙飛翔物体の識別処理が困難であり、観測情報を統合的に管理することも難しいという課題があった。
【０００７】
この発明は上記のような課題を解決するためになされたものであり、現状の宇宙飛翔物体の状況に関する情報を正確に提供するために、宇宙飛翔物体の異種かつ大量な観測情報を高速で蓄積しつつ、自動的な生成機能、更新機能を備えた飛翔物体観測データ管理装置及び管理方法を得ることを目的とする。
【課題を解決するための手段】
【０００８】
宇宙飛翔物体の観測情報を蓄積し、同時に前記宇宙飛翔物体を見分ける識別処理を自動的に実施する飛翔物体観測データの管理装置であって、前記宇宙飛翔物体を複数の外部センサが観測した観測情報を受信し、それぞれ１次情報を生成する複数のレシーバと、前記１次情報のフォーマットを統一して蓄積する１次データベースと、前記宇宙飛翔物体に関する外部機関からの外部情報を受信し蓄積する外部情報レシーバと、データ処理された最新の観測情報である２次情報を格納し、ユーザインターフェースから検索要求を受信した場合に、前記２次情報を変換して前記ユーザインターフェースに送信する２次データベースと、前記ユーザインターフェースから要求情報を受信した場合に、前記要求情報に該当する１次情報及び前記外部機関の外部情報に基づき、前記２次情報の識別処理を行ない更新又は新たに生成するデータ処理部と、を備え、前記データ処理部は、前記ユーザインターフェースから前記要求情報を受信した場合に、前記要求情報に該当する１次情報を前記１次データベースから取得し、当該１次情報から軌道情報を算出し、この軌道情報と前記２次情報及び前記外部機関からの外部情報とを識別処理する識別処理手段と、前記識別処理手段の結果が新規でない場合は、前記１次情報の１次情報管理ＩＤと、前記外部機関の軌道情報との識別処理の結果取得した衛星カタログ番号、国際衛星識別符号、及び衛星名称と、前記１次情報に含まれる観測付随情報とを前記２次情報に付与し、前記識別処理手段の結果が新規である場合は前記２次情報を新たに生成して前記２次データベースに送る更新生成手段と、を有する。
【発明の効果】
【０００９】
この発明によれば、レーダ及び光学望遠鏡等からの異種かつ大量な観測情報を入手し、現状の衛星カタログより観測情報量を増やした拡張衛星カタログを作成することにより正確な観測結果を提供できる。また、時間を要しない統一フォーマットによる１次情報の蓄積と、時間の要する識別処理を含む２次情報の作成を分離することにより、異種かつ大量な観測情報を高速で自動的に蓄積しかつ、時間の要する識別処理を同時に自動的に実施できる。更に、必要に応じて所望の宇宙飛翔物体の軌道情報及び識別情報も提供できるという効果を奏する。
【図面の簡単な説明】
【００１０】
【図１】この発明の実施の形態１に係る構成を示す機能ブロック図である。図１Ａは、データ処理部７の詳細ブロック図である。
【図２】この発明の実施の形態１に係る１次データベース構成を示す表である。
【図３】この発明の実施の形態１に係る２次データベース構成を示す表である。
【図４】この発明の実施の形態１に係る１次情報のデータ処理の流れを示すシーケンス図である。
【図５】この発明の実施の形態１に係る２次情報のデータ処理の流れ示すシーケンス図である。
【図６】この発明の実施の形態１に係るユーザによる参照処理の流れを示すシーケンス図である。
【図７】この発明を含む宇宙飛翔物体監視システム全体を示す図である。
【発明を実施するための形態】
【００１１】
実施の形態１．
この実施の形態を含む宇宙飛翔物体を監視する宇宙飛翔物体監視システム全体の運用概要を図７に示す。本発明は、宇宙飛翔物体監視システムにおいて、宇宙飛翔物体を観測したデータを取得し管理する飛翔物体観測データ管理装置１００に関するものである。本実施の形態に係るデータ管理装置は、レーダ、ＩＳＡＲ（Ｉｎｖｅｒｓｅ  Ｓｙｎｔｈｅｔｉｃ  Ａｐｅｒｔｕｒｅ  Ｒａｄａｒの略：逆合成開口レーダ）、光学望遠鏡、ＳＩＧＩＮＴ（Ｓｉｇｎａｌ  Ｉｎｔｅｌｌｉｇｅｎｃｅの略：通信、電磁波、信号等を媒介とした諜報活動のこと）、及び宇宙監視衛星などの各種外部センサが観測した観測結果である観測情報を、をネットワークを介して入手する。
【００１２】
また、外部機関から外部機関が管理する観測情報もネットワークを介して入手する。外部機関には、ＪｓｐＯＣ（Ｊｏｉｎｔ  Ｓｐａｃｅ  Ｏｐｅｒａｔｉｏｎｓ  Ｃｅｎｔｅｒの略：米国戦略司令部の統合宇宙運用センター）、ＮＳＳＤＣ（Ｎａｔｉｏｎａｌ  Ｓｐａｃｅ  Ｓｃｉｅｎｃｅ  Ｄａｔａ  Ｃｅｎｔｅｒの略：国立宇宙科学データセンター）、ＥＳＡ（Ｅｕｒｏｐｅａｎ  Ｓｐａｃｅ  Ａｇｅｎｃｙの略：欧州宇宙機関）、ＪＡＸＡ（Ｊａｐａｎ  Ａｅｒｏｓｐａｃｅ  Ｅｘｐｌｏｒａｔｉｏｎ  Ａｇｅｎｃｙの略：宇宙航空研究開発機構）等がある。
【００１３】
この各種外部センサ及び外部機関から取得した異種かつ大量な観測情報のデータベース作成、管理を行なうことにより、観測情報量を増やした衛星カタログをユーザに提供する。図１はこの発明の構成を示すブロック図である。この各構成部分を次に説明する。
【００１４】
レーダレシーバ１は、レーダから送信された宇宙飛翔物体の観測結果を１次データベース６に対応するデータフォーマットであるレーダ観測情報１１１への変換を行い、１次データベース６に送る。ＩＳＡＲレシーバ２は、ＩＳＡＲから送信された宇宙飛翔物体の観測結果を１次データベース６に対応するデータフォーマットであるＩＳＡＲ観測情報１１２への変換を行い、１次データベース６に送る。光学望遠鏡レシーバ３は、光学望遠鏡から送信された宇宙飛翔物体の観測結果を、同様に光学望遠鏡観測情報１１３への変換を行い、１次データベース６に送る。ＳＩＧＩＮＴレシーバ４は、ＳＩＧＩＮＴから送信された宇宙飛翔物体の観測結果を、同様にＳＩＧＩＮＴ観測情報１１４への変換を行い、１次データベース６に送る。宇宙監視衛星レシーバ５は、宇宙監視衛星から送信された宇宙飛翔物体の観測結果を宇宙監視衛星観測情報１１５への変換を行い、１次データベース６に送る。
【００１５】
１次データベース６は、各種外部センサからネットワークを介して送付されたレーダ観測情報１１１、ＩＳＡＲ観測情報１１２、光学望遠鏡観測情報１１３、ＳＩＧＩＮＴ観測情報１１４、宇宙監視衛星観測情報１１５などの観測情報を受信し、対応する１次情報１１６のフォーマットにそれぞれ変換して蓄積する。また、データ処理部７と２次データベース９からのデータ要求情報１２１に基づき、格納している当該１次情報１１６を送信する。
【００１６】
図１Ａには、データ処理部７の詳細ブロック図を示す。データ処理部７は、ユーザの要求によりユーザインターフェース１０が送信したリクエスト１２０（要求情報）を受け取る。このリクエスト１２０に該当する１次情報１１６及び外部機関の外部情報１１７に基づき、２次情報１１８の識別処理を行なう識別処理手段７１と、この識別処理の結果を反映するために、２次情報１１８を更新又は新たに生成する更新生成手段７２を有する。ここで、ユーザは定期的に、或いは必要となったときに、ユーザインターフェース１０の設定を変更し要求を送信できる。以下にこれを詳細に説明する。
【００１７】
データ処理部７は、ユーザインターフェース１０が送信したリクエスト１２０を取得し、１次データベース６へデータ要求情報１２１を送り、当該１次情報１１６を受信する。受信した１次情報１１６から、軌道計算に関する公知の技術に基づいて宇宙飛翔物体の軌道情報１２７（軌道要素・摂動係数・軌道精度）を算出する。続いて、２次データベース９を軌道情報１２７によって検索し、該当する２次情報１１８を取得する。あるいは観測付随情報１２８（ＲＣＳ〜電波情報）を併用して類似検索を行い、最も該当する可能性の高い２次情報１１８を取得する。更には外部情報１１７や外部付随情報１２９（打上日〜関連情報）の、打上げ予定や軌道変更予定の参照も行う。
【００１８】
該当がない場合は、新たに２次情報１１８を生成し、２次データベース９へ送る。以下にこの詳細を説明する。該当がない場合は、新たに衛星管理番号１２３を生成し、１次情報１１６に衛星管理番号１２３を付与し、衛星管理番号毎の２次情報１１８を生成する。続いて、２次情報１１８に上記１次情報１１６の１次情報管理ＩＤを付与する。次に、外部情報１１７との識別処理を行い、衛星カタログ番号１２４、国際衛星識別符号１２５、衛星名称１２６、外部付随情報１２９を付与する。外部情報との識別処理の結果、該当がない場合には、衛星名称を自動的に付与し、残りは非該当を示す値とする。
【００１９】
続いて、観測付随情報１２８を１次情報１１６から得て付与する。複数ある場合には、すべてを格納する。或いは、最新のもののみを格納することもできる。１次情報１１６からの観測付随情報１２８の付与は次の通りに行なう。すなわち、レーダ観測情報１１１・ＩＳＡＲ観測情報１１２・宇宙監視衛星観測情報１１５の受信諸元からＲＣＳを算出する。ＩＳＡＲ観測情報１１２・光学望遠鏡観測情報１１３・宇宙監視衛星観測情報１１５からは画像を取得し、得られた画像からは識別のための形状に関わる特徴量を取得、同じく画像から対象の大きさや姿勢を取得する。ＳＩＧＩＮＴ観測情報１１４からは対象と地上局の通信や対象が発している電波から電波情報を取得する。
【００２０】
外部情報レシーバ８は、外部機関から送信される外部情報を管理し、データ処理部７からの外部要求情報１２２に従い、外部情報１１７として送信する。２次データベース９は、データ処理部７からの軌道情報１２７に従って、該当する２次情報１１８を送信する。また、データ処理部７で更新された２次情報１１８を更新する。また、データ処理部７で生成された新たな２次情報１１８を格納する。また、ユーザインターフェース１０からの検索要求１３０に従い、必要に応じて対応する１次情報１１６を１次情報管理ＩＤによって検索し、外部提供情報１１９をユーザに送信する。ユーザインターフェース１０は、ユーザが２次データベース９を参照するためのインターフェース機能も有している。２次データベース９に検索要求１３０を通知し、外部提供情報１１９を取得してユーザに示す。また、ユーザの指示によりリクエスト１２０（要求情報）をデータ処理部７に送る。
【００２１】
図２には、１次情報１１６を蓄積する１次データベース６の内容を示す。１次情報１１６は、図２に示すようにレーダ観測情報１１１、ＩＳＡＲ観測情報１１２、光学望遠鏡観測情報１１３、ＳＩＧＩＮＴ観測情報１１４、宇宙監視衛星観測情報１１５を有している。
【００２２】
レーダ観測情報１１１は、１次情報管理ＩＤ、レーダ観測日時、レーダ位置、レーダ観測目標位置／速度情報、及びレーダ観測情報を含む。ＩＳＡＲ観測情報１１２は、１次情報管理ＩＤ、ＩＳＡＲ観測日時、ＩＳＡＲ位置、ＩＳＡＲ観測目標位置／速度情報、ＩＳＡＲ観測情報、及びＩＳＡＲ画像情報を含む。光学望遠鏡観測情報１１３は、１次情報管理ＩＤ、光学望遠鏡観測日時、光学望遠鏡位置、光学望遠鏡観測目標位置／速度情報、及び光学望遠鏡画像情報を含み、ＳＩＧＩＮＴ観測情報１１４は、１次情報管理ＩＤ、ＳＩＧＩＮＴ観測日時、ＳＩＧＩＮＴ位置、ＳＩＧＩＮＴ観測目標位置、及びＳＩＧＩＮＴ電波情報を含んでいる。宇宙監視衛星観測情報１１５は、１次情報管理ＩＤ、宇宙監視衛星観測日時、宇宙監視衛星位置、宇宙監視衛星観測目標位置／速度情報、宇宙監視衛星レーダ観測情報、宇宙監視衛星画像情報、及び宇宙監視衛星電波情報を含む。
【００２３】
外部情報１１７は、外部衛星カタログ情報、外部衛星識別情報、外部衛星動向情報を含む。外部衛星カタログ情報と外部衛星識別情報は、外部機関が管理する衛星のカタログ情報と識別情報を示す。外部衛星動向情報は外部機関による衛星の打上、再突入、各種マニューバの予定などを含んでいる。
【００２４】
図３には、２次情報１１８を蓄積する２次データベース９の構成を示す。２次情報１１８は、図に示すように衛星管理番号１２３、衛星カタログ番号（ＪＳｐＯＣ管理）１２４、国際衛星識別符号（ＮＳＳＤＣ管理）１２５、衛星名称１２６、軌道情報１２７、識別情報としての観測付随情報１２８、関連情報としての外部付随情報１２９を含む。ここで、衛星カタログ番号とは、地球を周回する人工衛星を識別するためにアメリカ宇宙軍が割り振る５桁の一連番号である。米国戦略司令部の統合宇宙運用センターＪＳｐＯＣ：Ｊｏｉｎｔ  Ｓｐａｃｅ  Ｏｐｅｒａｔｉｏｎｓ  Ｃｅｎｔｅｒの略）が管理している。また、国際衛星識別符号とは、ＣＯＳＰＡＲ命名法、或いは米国ではＮＳＳＤＣ  ＩＤという名称でも呼ばれている、人工衛星の国際的な慣習的命名法のひとつである。この識別符号は、アメリカ航空宇宙局（ＮＡＳＡ）の一部門である国立宇宙科学データセンター（ＮＳＳＤＣ＝Ｎａｔｉｏｎａｌ  Ｓｐａｃｅ  Ｓｃｉｅｎｃｅ  Ｄａｔａ  Ｃｅｎｔｅｒの略）により管理されている。
【００２５】
２次データベース９では、軌道情報１２７、観測付随情報１２８に関しては、最新の観測情報が２次情報１１８に格納されている。１次データベース６に蓄積された過去の情報へのアクセス、間違った情報の修正が容易なように、１次情報１１６の管理ＩＤを可変長リストで保持し、１次情報１１６とリンクしており、過去の情報が必要となった場合は随時１次情報１１６を参照可能である。
【００２６】
軌道情報１２７は、軌道要素、摂動係数、軌道精度を含む。軌道要素とは、衛星の軌道及び特定時刻における位置を示す。摂動係数とは、軌道要素の摂動を規定する係数を示す。軌道精度とは飛翔物体が一定以上の確率で存在する領域を示す。観測付随情報１２８は、対象のＲＣＳ、画像（ＩＳＡＲ画像／光学画像）、形状（特徴情報含む）、大きさ、姿勢、電波情報を含む。外部付随情報１２９は、対象の打上日、再突入日、打上国／組織、管理国／組織、状況、種類、活動内容や関係する外部情報を含む。
【００２７】
外部提供情報１１９は、拡張した衛星カタログとして２次データベース９に格納されている情報を、ユーザインターフェース１０を介してユーザに送信する情報である。２次データベース９の情報を衛星名称１２６や軌道情報１２７などの２次情報１１８の全ての項目に基づいて参照する事を可能とし、最新の情報から過去の情報をも参照可能である。また、上記実施の形態で、軌道を決定するものとして軌道６要素としているが、一例であり、軌道を特定できるものであれば飛翔物体の時刻と位置と速度などを使用しても良い。
【００２８】
図４には、１次情報１１６のデータ処理の流れを示す。各種外部センサが観測した観測結果は図に示すように、外部センサの種別毎に各レシーバ（レーダレシーバ１、ＩＳＡＲレシーバ２、光学望遠鏡レシーバ３、ＳＩＧＩＮＴレシーバ４、宇宙監視衛星レシーバ５）に通知され、取得される（ステップＳ４１）。観測結果取得後は、外部センサの種別毎にレーダ観測情報１１１、ＩＳＡＲ観測情報１１２、光学望遠鏡観測情報１１３、ＳＩＧＩＮＴ観測情報１１４、宇宙監視衛星観測情報１１５へそれぞれ変換される（ステップＳ４２）。変換後、各観測情報は１次情報１１６として１次データベース６に一旦格納される（ステップＳ４３）。
【００２９】
図５には、２次情報１１８のデータ処理の流れを示す。データ処理部７は、ユーザインターフェース１０からのリクエスト１２０（要求情報）により、１次データベース６にデータ要求情報１２１を通知し、このリクエスト１２０に該当する１次情報１１６を受信する（ステップＳ５２）。受信した１次情報１１６から軌道情報１２７、観測付随情報１２８を算出する（ステップＳ５３、ステップＳ５４）。ここで、宇宙飛翔物体の軌道情報１２７は、ケプラーの法則を初めとして研究されている物理法則を用いて算出する。また、外部要求情報１２２を外部情報レシーバ８に通知し、外部情報１１７を取得する（ステップＳ５５）。
【００３０】
また、算出した軌道情報１２７、観測付随情報１２８を用いて２次データベース９を検索し、該当する２次情報１１８を取得する（ステップＳ５６）。次に、１次データベース６の１次情報１１６と、外部情報レシーバ８の外部情報１１７を使用して宇宙飛翔物体の識別処理を実施し、新たな２次情報１１８又は更新すべき２次情報１１８を生成する（ステップＳ５７）。生成した２次情報１１８を２次データベース９に通知し、２次情報１１８の追加又は更新を行う（ステップＳ５８）。
【００３１】
ここで、識別処理は、観測情報と既存の衛星カタログを、軌道情報１２７を用いて比較し観測対象を特定する同定処理と、観測情報から対象が運用中なのかデブリなのか区別し、運用中であるならば用途や目的を推定する類識別処理と呼ばれる処理を含む。類識別処理は、軌道情報１２７や、観測付随情報１２８であるアンテナやパネルを含めた形状や大きさ、姿勢、電波情報を用いて、観測対象の用途や目的を含む外部付随情報１２９を推定することにより実施する。
【００３２】
図６には、ユーザからの要求による１次情報１６、２次情報１１８のデータ処理の流れを示す。ユーザは、２次情報１１８が持つ全ての項目をキーとして参照可能である。まずユーザからの要求によりユーザインターフェース１０は、検索要求１３０を２次データベース９に送信する（ステップＳ６１）。２次データベース９は、検索要求１３０に該当する２次情報１１８を探索し、該当する外部提供情報１１９を送信する（ステップＳ６２）。過去の観測情報をユーザが要求した場合には、必要に応じて２次データベース９はデータ要求情報１２１を送り（ステップＳ６３）、１次データベース６を参照し、１次情報１１６を取得する（ステップＳ６４）。取得した１次情報１１６を外部提供情報１１９に含めてユーザインターフェース１０へ送信する（ステップＳ６５）。
【００３３】
この発明によれば、レーダ及び光学望遠鏡等からの異種かつ大量な観測情報を入手し、現状の衛星カタログより観測情報量を増やした拡張衛星カタログを作成することにより正確な観測結果を提供できる。また、時間を要しない統一フォーマットによる１次情報の蓄積と、時間を要する識別処理を含む２次情報の作成を分離することにより、異種かつ大量な観測情報を高速で蓄積しかつ、時間の要する識別処理も可能である自動的な飛翔物体観測データ管理装置及び管理方法を構築できる。また、１次情報は２次情報作成後も更新されないようにする事により、随時２次情報を再作成中であっても、観測データ（一次情報）を受信できる。更に、必要に応じて所望の宇宙飛翔物体の軌道情報及び識別情報も提供できるという効果を奏する。
【符号の説明】
【００３４】
１  レーダレシーバ
２  ＩＳＡＲレシーバ
３  光学望遠鏡レシーバ
４  ＳＩＧＩＮＴレシーバ
５  宇宙監視衛星レシーバ
６  １次データベース
７  データ処理部
７１  識別処理手段
７２  更新生成処理手段
８  外部情報レシーバ
９  ２次データベース
１０  ユーザインターフェース
１００  飛翔物体観測データ管理装置
１１１  レーダ観測情報
１１２  ＩＳＡＲ観測情報
１１３  光学望遠鏡観測情報
１１４  ＳＩＧＩＮＴ観測情報
１１５  宇宙監視衛星観測情報
１１６  １次情報
１１７  外部情報
１１８  ２次情報
１１９  外部提供情報
１２０  リクエスト（要求情報）
１２１  データ要求情報
１２２  外部要求情報
１２３  衛星管理番号
１２４  衛星カタログ番号
１２５  国際衛星識別符号
１２６  衛星名称
１２７  軌道情報
１２８  観測付随情報
１２９  外部付随情報
１３０  検索要求（要求情報）
【図１】
0005919805.tif 000002
【図２】
0005919805.tif 000003
【図３】
0005919805.tif 000004
【図４】
0005919805.tif 000005
【図５】
0005919805.tif 000006
【図６】
0005919805.tif 000007
【図７】
0005919805.tif 000008